(57)【要約】【課題】有害動物が威嚇音に慣れることがない、かつ、電池等の電源を必要としない、玩具用クラッカーを利用した有害動物威嚇装置を提供することを課題とする。【解決手段】課題解決のため、本発明は、クラッカーを保持するクラッカー保持部２と、前記クラッカー保持部２をガイドして前記クラッカー保持部２をクラッカーの長手方向にスライドさせるスライドガイド３とにより、一体的に構成されたカセットと、前記カセットを収納するカセット収納部１と、前記カセットに取付けられたカセット側ワイヤーを具備している。この構造により、有害動物がワイヤーに掛かった瞬間に、クラッカーを発射させることが出来るため、常時定期的に威嚇音を発生させる方式と比べ有害動物が威嚇音に慣れることがなく、効果的である。【選択図】図１
2009219459.tif 000002
【特許請求の範囲】
【請求項１】
クラッカーを保持するクラッカー保持部と、前記クラッカー保持部をガイドして前記クラッカー保持部をクラッカーの長手方向にスライドさせるスライドガイドとにより、一体的に構成されたカセットと、前記カセットを収納するカセット収納部とを有することを特徴とする、有害動物威嚇装置。
【請求項２】
前記カセットと前記カセット収納部は着脱可能であることを特徴とする、請求項1の有害動物威嚇装置。
【請求項３】
前記カセット収納部にはワイヤーが取付けられており、前記ワイヤーは、クラッカーを発射させるために必要な結合力を持つ、２個の部材を介して接続されていることを特徴とする、請求項1、請求項２の有害動物威嚇装置。
【請求項４】
前記２個の部材は、お互いに吸引する２個の磁石であることを特徴とする、請求項３の有害動物威嚇装置。
【発明の詳細な説明】
【技術分野】
【０００１】
本発明は、玩具用のクラッカーを利用した、有害動物威嚇装置に関する。
【背景技術】
【０００２】
イノシシ、熊等の獣類による農作物への被害は年々ひどくなっており、時には人にも危害をおよぼすこともあり、これら有害動物を排除することは、山村に暮す人々にとって大きな課題となっている。従来、定期的な発音、或は反射光などを利用して有害動物を排除する製品が考案されているが、何れも使用開始当初は効果があるものの、動物たちがすぐにそれらの音、或は光になれてしまい効果がなくなってしまうという欠点があった。クラッカーを利用する威嚇装置に関しては参考文献１がある。クラッカーを利用することは、爆発音、火薬の匂い、飛散物により有害動物に対する威嚇効果はあるが、本参考文献1では動物の検知装置とクラッカーを発射させる制御装置が必要であり、電池などの電源が必要となるため、電池の寿命などにより山の中に設置するには適さないとともに、高価なものになってしまうという欠点がある。
【特許文献１】特開２０００−２１７４９８
【発明の開示】
【発明が解決しようとする課題】
【０００３】
本発明は、以上の問題点を解決させるためのもので、有害動物が威嚇音に慣れることがない、かつ、電池等の電源を必要としない、玩具用クラッカーを利用した有害動物威嚇装置を提供することを課題とする。
【課題を解決するための手段】
【０００４】
上記課題を達成するため本発明の有害動物威嚇装置は、クラッカーを保持するクラッカー保持部と、前記クラッカー保持部をガイドして前記クラッカー保持部をクラッカーの長手方向にスライドさせるスライドガイドとにより、一体的に構成されたカセットと、前記カセットを収納するカセット収納部とを具備している。
【０００５】
前記カセットと前記カセット収納部は着脱可能とすることにより、カセットへのクラッカーの装填を容易にしている。
【０００６】
前記カセット収納部にはワイヤーが取付けられており、前記ワイヤーは、クラッカーを発射させるために必要な結合力を持つ、２個の部材を介して接続されている。これにより、２個の部材の結合力を適切な範囲に選定することにより、クラッカーを発射させる以上の力がワイヤーにかかった場合は２個の部材が引き剥がされ、ワイヤーの張力が無くなるため、単に動物を威嚇するだけで動物に危害を与えることがない。前記２個の部材としては互いに吸引する２個の磁石を用いることが出来る。
【発明の効果】
【０００７】
本発明の有害動物威嚇装置は、有害動物が人家、或いは田畑に近づき、張り巡らされたワイヤーに触れることにより、ワイヤーが引っ張られてクラッカーが発射するため、常時定期的に威嚇音を発音している場合に比べ、有害動物が音に慣れてしまうことがなく、効果が永続するしランニングコストも抑えられる。また、有害動物の検知およびクラッカーの発射をワイヤーで実現しているため、制御装置が不要となり、電池等の電源が必要でないため、雨水による漏電、発火の危険性もなく、山の中での設置に適している。さらに、クラッカーを装填するカセットを備えているため、威嚇装置へのクラッカーのセットが容易である。また、ワイヤーを２個の磁石を介して接続しているため、クラッカーを発射させる以上の力がワイヤーに加わると磁石が引き剥がされ、ワイヤーの張力が無くなるので動物にけがをさせることがないとともに、過大な外力により有害動物威嚇装置を損傷してしまうことがない。
【発明を実施するための最良の形態】
【０００８】
[実施例]図１は、本発明による有害動物威嚇装置であり、クラッカーを装填したカセットをカセット収納部１に収納した状態を示している。カセットは、クラッカー保持部２とクラッカー保持部２の中空部に挿入されたスライドガイド３で構成されている。スライドガイド３には、クラッカー保持部２の切欠き部A４に相当するところにストッパーネジ５が取り付けられているので、クラッカー保持部２はクラッカー保持部２の切欠き部A４の範囲内でスライドガイド３に対してスライドすることが出来る。カセット収納部１とスライドガイド３は、カセット収納部１の連結ネジ６とスライドガイド３側の円周方向の連結溝７で連結されている。
【０００９】
カセットに装填されたクラッカーの引き糸は、スライドガイド３の糸巻き部８に巻きつけられている。カセット収納部１にはワイヤーA９が、クラッカー保持部２にはワイヤーB１０が取付けられ、ワイヤーB１０のもう一端側には磁石A１１が取付けられている。ワイヤーC１３は磁石A１１と互いに吸引する磁石B１２に取付けられている。
【００１０】
カセット収納部１の切欠き部B１４とクラッカー保持部２のガイドネジ１５は、カセットをカセット収納部１に挿入する際のカセットガイド機能と、カセット収納部１の連結ネジ６とスライドガイド３側の円周方向の連結溝７を連結する際のカセットの回転ストッパ機能を有する。図２にカセット収納部1を示す。切欠き部B14の側面E1６がガイド、側面F１７が回転ストッパとして機能する。
【００１１】
図３は、カセットをカセット収納部１に挿入して、カセット収納部１の連結ネジ６とスライドガイド３の円周方向の連結溝７とを連結させる状態を示している。図３（a）は、挿入する時の状態を示しており、カセットを矢印の方向に移動させ、カセット収納部１に挿入させる。そのとき、ガイドネジ１５はカセット収納部1の切欠き部B14の側面E1６面を摺動する。。そして、カセット収納部１の２個の連結ネジ６はスライドガイド３の先端にある２個の切欠き部G１８を通って、スライドガイド３の円周方向の連結溝７の壁に達する。その状態で、カセットを時計方向に回転させると、図３（b）に示すように連結ネジ６がスライドガイド３の円周方向の連結溝７の中に入り、カセット収納部１とスライドガイド３が連結される。この状態では、ガイドネジ１５はカセット収納部1の切欠き部B14の側面F１７に当接している。以上と逆の操作をすれば、カセットはカセット収納部１から取り外すことが出来る。このように、カセットとカセット収納部１はワンタッチで着脱可能となっている。
【００１２】
図４はカセットを構成する部品を示し、図４（a）はクラッカー保持部２、図４（ｂ）はスライドガイド３を示している。図４と図１を参照して、カセットの組立て方法を説明する。クラッカー保持部２の中空部にスライドガイド３を挿入した後、クラッカー保持部２の切欠き部A４とスライドガイド３のネジ穴１９を合わせ、ストッパーネジ５をネジ穴１９にネジ締めする。
【００１３】
以上のように構成された有害動物威嚇装置の動作を、図１に従って説明する。ワイヤーA９とワイヤーC１３に外力が加わりワイヤーが引っ張られると、カセットはカセット収納部１から抜ける方向に移動する。カセット収納部１とスライドガイド３が連結されているため、さらに外力が大きくなると、クラッカー保持部２がスライドガイド３に対してスライドガイド３から離れる方向にスライドし始め、スライドガイド３に保持されているクラッカーもスライドガイド３から離れる方向に移動する。クラッカーの引き糸はスライドガイド３の糸巻き部８に巻きつけられているため、クラッカーの引き糸が引っ張られ、所定の外力になるとクラッカーが発射する。
【００１４】
磁石A１１、磁石B１２の吸引力は、クラッカーを発射するために必要となる外力より若干大きめに設定してあるため、クラッカーが発射した後も外力が増加し続けると磁石A１１と磁石B１２は外力により引き剥がされる。これにより、動物がワイヤーC１３に掛かった場合は、クラッカーが発射した後は磁石A１１と磁石B１２が引き剥がされるため、ワイヤーにより動物に危害を加えることがないし、有害動物威嚇装置を損傷することもない。また、クラッカーが一旦発射した後の再設置のときは、磁石A１１と磁石B１２を再度吸引させればワイヤーBとワイヤーCは再接続できる。
【００１５】
図５は、本発明の有害動物威嚇装置を実際に設置した状態を示している。ワイヤーA９、ワイヤーC１３は木の枝のほか、柵、支柱などに固定すればよい。このように設置すると、カセット収容部がカセットを挿入する側を下にして吊り下げられることになるため、雨水がクラッカーに浸入することがない。
【００１６】
ワイヤーC１３は１本だけでなく、任意の方向に複数本並列に張ることが可能であり、１台の有害動物威嚇装置により広い範囲がカバーできる。また、磁石A１１と磁石B１２はワイヤーA９側に取付けることも可能ではあるが、動物が絡んで磁石A１１と磁石B１２が引き剥がされた場合、有害動物威嚇装置が地面に落ちて損傷してしまうため、本実施例のほうが優れている。
【００１７】
上記実施例ではワイヤーを張り巡らせているが、図６のような形態にすることも可能である。すなわち、一方に支点２０をもつ板状の可動物２１の支点２０の反対側に本発明の有害動物威嚇装置のカセット側を取り付け、カセット収納部１側を木、杭などに固定しておく。板状の可動物２１の上に動物が乗れば、動物の体重により板状の可動物２１が下方に押され、クラッカーが発射する。
【００１８】
上記実施例では、ワイヤーB１０とワイヤーC１３の接続を磁石A１１と磁石B１２で行っているが、磁石A１１、磁石B１２のうちどちらか一方を鉄板などの磁性材にしてもよい。或いは、マジックテープ（登録商標）、結合ジャックなど機械的に所定の結合強度が得られるものを使用してもよい。マジックテープ（登録商標）、結合ジャックの例を図７、図８に示す。図７において、マジックテープ（登録商標）（ループ）２２とマジックテープ（登録商標）８（登録商標）（J字）２３の接合面積を適切に選定すれば、希望する結合力が得られる。図８は、円柱形のオス側ジャック２４と円筒形のメス側ジャック２５が勘合した状態を断面図で示している。可動ピン２６を押している圧縮バネ２７のバネ力を適切に選定すれば、希望する結合力が得られる。また、ワイヤーを結合する２個の部材を設けずに、ワイヤーの強度を適切に選定することにより、クラッカー発射後にはワイヤーが切断され、同様の効果を得ることが可能である。
【図面の簡単な説明】
【００１９】
【図１】本発明の有害動物威嚇装置の全体を示す。
【図２】本発明のカセット収納部を示す。
【図３】本発明のカセットとカセット収納部を連結させる状態を示す。
【図４】本発明のカセットを構成する、クラッカー保持部とスライドガイドを示す。
【図５】本発明の有害動物威嚇装置を実際に設置した状態を示す。
【図６】本発明の有害動物威嚇装置の他の設置例を示す。
【図７】本発明のワイヤーをマジックテープ（登録商標）で接続した例を示す。
【図８】本発明のワイヤーを結合ジャックで接続した例を示す
【符号の説明】
【００２０】
１．カセット収納部
２．クラッカー保持部
３．スライドガイド
４．切欠き部A
５．ストッパーネジ
６．連結ネジ
７．連結溝
８．糸巻き部
９．ワイヤーA
１０．ワイヤーB
１１．磁石A
１２．磁石B
１３．ワイヤーC
１４．切欠き部B
１５．ガイドネジ
１６．側面E
１７．側面F
１８．切欠き部G
１９．ネジ穴
２０．支点
２１．板状の可動物
２２．マジックテープ（登録商標）（ループ）
２３．マジックテープ（登録商標）（J字）
２４．オス側ジャック
２５．メス側ジャック
２６．可動ピン
２７．圧縮バネ
【図１】
2009219459.tif 000003
【図２】
2009219459.tif 000004
【図３】
2009219459.tif 000005
【図４】
2009219459.tif 000006
【図５】
2009219459.tif 000007
【図６】
2009219459.tif 000008
【図７】
2009219459.tif 000009
【図８】
2009219459.tif 000010